(57)【要約】【課題】  簡単な構成で足の裏のつぼに押圧の刺激と電気的刺激の両方を同時に加えることができ、より効果のある健康履き具を提供すること。【解決手段】  履き具の足の裏の各つぼに対向する部位に導電性の突部と、衝撃や振動によって起電する圧電部材を設け、その起電する電気を導電性の各突部に通電するようにした構成であり、またイオン化傾向の異なる異種金属で突部を形成し、各突部が当接するつぼ間にイオン化傾向の差で生じる電解作用によって流れる電気を足の裏の各つぼ間に通電して荷電するようにした構成。【選択図】  図１
2005287920.tif 000002
【特許請求の範囲】
【請求項１】
中敷きや履き物の履き具において、履き具（１）に外部からの圧力や振動によって起電する起電部（５）を設け、足の裏の各つぼに対向する部位に導電性の突出する突部（２、２・・・・２）を適当数配設し、履き具（１）に加わる荷重によって前記起電部（５）で起電した電気を前記突部（２、２・・・・２）に通電して足の裏のつぼに荷電するようにした健康履き具。
【請求項２】
中敷きや履き物の履き具において、履き具（１）に外部からの圧力や振動によって起電する起電部（５）を設け、足の裏の各つぼに対向する領域に金属シート（４：４ａ、４ｂ）を設け、該金属シート（４：４ａ、４ｂ）の各面上に突出する突部（２、２・・・・２）を適当数配設し、履き具（１）に加わる荷重によって前記起電部（５）で起電した電気を前記金属シート（４：４ａ、４ｂ）に通電し突出する突部（２、２・・・・２）から足の裏のつぼに荷電するようにした健康履き具。
【請求項３】
前記金属シートにおいて、金属シートが互いにイオン化傾向の異なる異種金属シート（４：４ｃ、４ｄ）でなる請求項２記載の健康履き具。
【発明の詳細な説明】
【技術分野】
【０００１】
本発明は、健康を促進する健康履き具に関する。
【背景技術】
【０００２】
足の裏のつぼを刺激することで健康が促進されることが知られており、図９に示すように３０に及ぶつぼ1.大脳の左半球2.前頭洞3.小脳・脳幹4.脳下垂体5.三叉神経6.鼻7.頚部(首)8.左目9.左耳11.右の僧帽筋(首の右半分と右肩) 12.甲状腺13.副甲状腺14.右の肺と気管支15.胃16.十二指腸17.すい臓18.肝臓19.胆のう20.腹腔神経そう(消化器)21.右副腎 22.右腎臓23.右輸尿管24.膀胱25.小腸26.盲腸(虫垂)27.回盲弁28.上行結腸29.横行結腸36.右の生殖腺(卵巣・睾丸)53.けい椎・脳幹があり、その中でダイエットに効果のあるつぼもある。そして足の裏のつぼを刺激する方法としては、つぼの部位を押圧する、つぼの部位に熱を加える、つぼの部位に電気的刺激を与える、の３つの方法がある。つぼを押圧する方法としては、凸状の部材（鍼を含む）で押圧したり指で指圧する方法があり、つぼに熱を加える方法としては温灸があり、つぼに電気的刺激を与える方法としては、パルス状の電気をつぼに断続的に加える方法がある。そして足の裏のつぼを刺激して健康を促進させる履き具があり、足の裏のそれぞれのつぼの部位に対向する位置に凸状部を適当数形成した中敷きや、履き物としては凸状部を適当数表面に形成したサンダル、スリッパなどがある。また足の裏のつぼの部位に電気的刺激を与える装置としては、特開平８−８９４８２号公報が提案されている。
【０００３】
ここで前記した３つの方法を一度に足の裏のつぼに施療できれば、それだけ施療効果が増すが、従来の履き具や装置ではひとつの方法でしか刺激を加えられなかった。また前記の特開平８−８９４８２号公報で提案されている装置では、中敷きとは別体の刺激発生手段の装置が必要であり、その電気的刺激信号をケーブルを繋いで供給している。そのためその装置では中敷きを履いたまま歩けない上に、大掛かりな装置が必要であった。
【０００４】
【特許文献１】特開平８−８９４８２号公報
【特許文献２】実用新案登録３０６４９５０号
【発明の開示】
【発明が解決しようとする課題】
【０００５】
本発明は、前述の問題に鑑みてなされたもので、簡単な構成で足の裏のつぼに押圧の刺激と電気的刺激の両方を同時に加えることができ、より効果のある健康履き具を提供することである。
【課題を解決するための手段】
【０００６】
本発明は前記課題を解決するために、履き具の足の裏の各つぼに対向する部位に導電性の突部と、衝撃や振動によって起電する圧電部材を設け、その起電する電気を導電性の各突部に通電するようにした構成であり、またイオン化傾向の異なる異種金属で突部を形成し、各突部が当接するつぼ間にイオン化傾向の差で生じる電解作用によって流れる電気を足の裏の各つぼ間に通電して荷電するようにした構成である。
【発明の効果】
【０００７】
本発明は、安価な構成でもって足の裏の各つぼに押圧の刺激と電気的刺激を同時に加えることができ、また圧電部材が起電されない状態では、イオン化傾向の異なる２種の金属間に流れる電気で電解反応効果が得られ、本発明の構成でつぼを刺激する施療効果と、電解反応作用による殺菌、無臭化する清浄効果の２つの効果を得ることができる。
【実施例】
【０００８】
本発明の構成を図面を基に詳細に説明すると、図１は本発明を履き具１の中敷き１Ａに実施した構成である。中敷き１Ａを多孔性合成樹脂材でなる発泡性ウレタン樹脂や発泡性合成ゴム等で形成し、土踏まずの部分の内部に強化プラスチックで形成する筐体７を設け、その筐体７の内部に起電部５として圧電部材を設けている。本実施例では圧電部材の１実施構成として、日新電機社の圧電バイモルフ素子５ａを設けて実施することができる。その圧電バイモルフ素子５ａの構造は図７（ａ）に示すように、２枚の圧電セラミックスを貼り合せた構造で、その２枚の圧電セラミックスに外力を加えると、一方の圧電セラミックスが伸びて、もう一方の圧電セラミックスが縮む変位が起き、各変位の方向に応じて一定方向の起電力が発生する構造になっている。本実施例の図７（ｂ）に示す構成で、筐体７内の圧電バイモルフ素子５ａの端部に外力から衝撃が加わると。矢印の方向に圧電バイモルフ素子５ａが撓み、その都度起電力が発生する。さらに実施構成として、圧電バイモルフ素子５ａの先端に重りを設け、衝撃が加わる度にその重りが筐体７の内壁面にぶつかるように構成してもよい。また図７（ｃ）に示す構成で、筐体７内に設けた鉄球９が筐体７内の両壁面に設けた圧電素子５ｂ、５ｂにぶつかるように構成してもよい。この構成において、鉄球９が圧電素子５ｂ、５ｂにぶつかる度に起電力が発生する。また、中敷き１Ａ内の踵部分又はつま先と土踏まずの間の部分に円盤状の圧電素子５ｂを設け、足が地面に着地する度に圧電素子５ｂ面上に垂直に衝撃（荷重）が加わるように構成してもよい。また図７（ｄ）に示す応用構成として、弾性材１０で上下する鉄片１１等が円盤状の圧電素子５ｂ面上に衝突して、衝撃（荷重）が加わるように構成してもよい。この構成であれば衝撃力を大きくして実施できる。尚、弾性材１０は例えばばね材やスポンジ等の発泡材で実施して構成できる。
【０００９】
本実施例の構成で発生した起電力は、図１（ｃ）に図示するように、足の裏のつぼ間を介在する閉回路を形成するため、振動によって圧電バイモルフ素子５ａで起電された電気は、突部２ａと突部２ｂとの間の足のつぼ間に荷電される。この構成において、突部２ａと突部２ｂの間に荷電される起電力は、足の裏のつぼ間の等価抵抗値：Ｚによって定まり、日新電機社の資料では、つぼ間の抵抗値：Ｚ＝１０ｋΩである場合、流れる電流は約８ｍＡで荷電圧は約７０Ｖとなる。またつぼ間の抵抗値：Ｚ＝１００ｋΩである場合、流れる電流は約１ｍＡで荷電圧は約９０Ｖとなる。つぼ同士間では他の部位より抵抗値が低く電流が流れやすいのは周知の通りで、その抵抗値に応じた起電流が流れる。本実施構成では同電極となる突部２ｂ、２ｂ・・・２ｂを電線３で接続して円状に並べており、異電極となる突部２ａをその中央部に設けた構成にしている。
図２は、他の実施構成を示しており、突部２ａと突部２ｂを各つぼに対向する部位に散在させて、それぞれに電線３を接続して各々通電するように構成している。突部２は導電性であればよく、例えば導電性ののゴム材で形成してもよく、突部２の構造も図２（ｂ）に示すように、頂点に小突部２Ａを設けて構成してもよい。この構成であれば、各つぼにさらに局部的に圧力を加えられると共に、靴下を履いてても、その布地を突出する小突部２Ａが直接足の裏の肌に当接でき、靴下を履いてても荷電効果が得られる。また他の実施構成として、突部２ａを土踏まず全域で面状に突出して設け、突部２ｂ、２ｂ・・・２ｂを足の裏の各つぼに対応する位置に設けて構成してもよい。
【００１０】
図３は、本発明の第２実施例を示し、適当な大きさで箔状の金属シート４ａ、４ｂ上に突部２ａと突部２ｂをそれぞれ適当数上方に突出させて設けて構成したものである。この構成において、金属シート４ａ上の突部２ａ、２ａ・・・２ａと、金属シート４ｂ上の突部２ｂ、２ｂ・・・２ｂとの間で、前記図１（ｃ）と同様の閉回路ができるため、圧電バイモルフ素子５ａで起電された電気が各突部２ａと突部２ｂ間に通電され荷電される。
【００１１】
図４は、本発明の第３実施例を示し、圧電バイモルフ素子５ａの出力に、図４（ｃ）に示す昇圧部６として単巻トランス６ａを介在して構成したものである。この構成では圧電バイモルフ素子５ａから起電した電気が、単巻トランス６ａの自己誘導作用の働きで巻数比に比例した電気に昇圧され、その電気が突部２ａと突部２ｂ間に出力される。図４（ｄ）は昇圧部６として複巻トランス６ｂで構成したもので、相互誘導作用によって昇圧した電気を突部２ａと突部２ｂ間に出力するように構成したものである。
【００１２】
図５は、本発明の第４実施例を示したものである。イオン化傾向の異なる２種の金属シート４ｃ上に突部２ａ、２ａ・・・２ａと、金属シート４ｄ上に突部２ｂ、２ｂ・・・２ｂを形成したものである。本実施例ではアルミ材でなる金属シート４ｃと銅材でなる金属シート４ｄを中敷き１Ａ内に設け、各々の突部２ａと突部２ｂを上方に突出して構成している。この構成では図５（ｃ）に示す等価閉回路ができ、足の裏には発汗等によって、汗の成分である食塩水、アンモニア水、メルカブタン等が発生し、イオン化傾向の異なるアルミ材でなる金属シート４ｃと銅材でなる金属シート４ｄ間では図４（ｃ）に示す等価閉回路内に起電流ｉが流れる。その電解反応が起きることで、金属面から活性水素と酸素が発生し、この電解反応作用によって、靴内の菌の繁殖を防ぎ、且つ銅の殺菌作用により雑菌を殺菌して水虫の発生を防ぐ。また蒸れた靴下や足の悪臭となるメルカブタンを分解して無臭化する作用も起きる。
【００１３】
図６は、本発明を履き具１の履き物１Ｂのスリッパに実施した構成を示すものである。前実施例で示した中敷き１Ａ内に設けた各構成を、スリッパやサンダル等の履き物１Ｂ内に設けてもよく、同様に実施可能である。
【００１４】
図８に示した両足の各中敷き１Ａ、１Ａ上に、右足及び左足を載せ荷重をかけると、足の裏の各つぼに各突部２ａと突部２ｂによる押圧がなされ、さらに中敷き１Ａを中に敷いた靴を履いて歩行すると、足を地面に降ろす度に発生する衝撃や振動で、圧電バイモルフ素子５ａに起電力が発生し、足の裏の各つぼ間にパルス状の電気の刺激が荷電される。圧電バイモルフ素子５ａ及び圧電素子５ｂは自己発電し半永久的に使えるため、本発明の中敷き１Ａを靴内に装着することで、半永続的に施療効果を得ることができる。尚、本発明の構成で、圧電バイモルフ素子５ａ及び圧電素子５ｂにＬＥＤを並列に接続しておき、足を降ろす度にＬＥＤが同時に点灯するように構成してもよい。圧電バイモルフ素子５ａ及び圧電素子５ｂも１個に限らず複数個設けて構成してもよい。また中敷き１Ａの裏面に予め粘着シート材を具備しておき、靴の内面上に貼り付けられるように構成してもよい。また体の症状や施療の種類に応じて、各つぼに対応した幾種類かの中敷き１Ａを構成して用意しておくことも可能で、ダイエット用としての中敷き１Ａを構成して実施することも勿論できる。
【図面の簡単な説明】
【００１５】
【図１】（ａ）本発明の１実施例の１部透視の正面図（ｂ）本発明の１実施例の側断面図（ｃ）本発明の１実施例の原理図
【図２】（ａ）本発明の１実施例の１部透視の正面図（ｂ）本発明の１実施例の１部拡大の側面図
【図３】（ａ）本発明の１実施例の１部透視の正面図（ｂ）本発明の１実施例の側断面図
【図４】（ａ）本発明の１実施例の１部透視の正面図（ｂ）本発明の１実施例の側断面図（ｃ）（ｄ）本発明の１実施例の原理図
【図５】（ａ）本発明の１実施例の１部透視の正面図（ｂ）本発明の１実施例の側断面図（ｃ）本発明の１実施例の原理図
【図６】（ａ）本発明の１実施例の１部透視の正面図（ｂ）本発明の１実施例の側断面図
【図７】（ａ）本発明の１実施例の１部の斜視図（ｂ）（ｃ）本発明の１実施例の１部の側断面図（ｄ）本発明の１実施例の１部の側面図
【図８】本発明の１実施例の１部透視の正面図
【図９】足の裏のつぼの分布を示す正面図
【符号の説明】
【００１６】
１  ：  履き具
１Ａ  ：  中敷き
１Ｂ  ：  履き物
２  ：  突部
２Ａ  ：  小突部
２ａ  ：  （同極の）突部
２ｂ  ：  （２ａと異極の）突部
３  ：  電線
４  ：  金属シート
４ａ  ：  （同極の）金属シート
４ｂ  ：  （４ａと異極の）金属シート
４ｃ  ：  （同種の）金属シート
４ｄ  ：  （４ｃと異種の）金属シート
５  ：  起電部
５ａ  ：  圧電バイモルフ素子
５ｂ  ：  圧電素子
６  ：  昇圧部
６ａ  ：  単巻トランス
６ｂ  ：  複巻トランス
７  ：  筐体
７ａ  ：  台座
８  ：  螺子
９  ：  鉄球
１０  ：  弾性材
１１  ：  鉄片
【図１】
2005287920.tif 000003
【図２】
2005287920.tif 000004
【図３】
2005287920.tif 000005
【図４】
2005287920.tif 000006
【図５】
2005287920.tif 000007
【図６】
2005287920.tif 000008
【図７】
2005287920.tif 000009
【図８】
2005287920.tif 000010
【図９】
2005287920.tif 000011